(57)【要約】【課題】  調色用データベースを作成する作業者の負荷の軽減を図る。【解決手段】  ベースインキごとに調色に必要となる多段階の色材濃度のベースデータ展色物のうち一部を間引き、残ったベースデータ展色物の反射率を反射率測定部１４により複数の波長において測定する。そして、近似式算出部１６は、測定された反射率に基づいて、色材濃度を変数とする反射率の近似式を求める。この求められた近似式を利用して、ベースデータ展色物の光学濃度を算出し、算出結果に基づいて光学濃度を管理する光学濃度データベース１３を作成する。【選択図】    図１
2005037256.tif 000002
【特許請求の範囲】
【請求項１】
ベースデータ展色物の光学濃度を管理する調色用データベースを参照して、色見本に基づいて使用色材の選択及びその色材の組み合わせにおける各色材の配合比率を計算して出力する調色において利用するための前記調色用データベースを作成する調色用データベース作成装置において、
ベースインキごとに調色に必要となる多段階の色材濃度のベースデータ展色物のうち前記多段階の色材濃度の一部を間引いた後のベースデータ展色物の反射率を複数の波長において測定する反射率測定手段と、
前記ベースインキの夫々に対して、波長ごとに、前記反射率測定手段により測定される前記反射率に基づいて、色材濃度を変数とする反射率の近似式を求める近似式算出手段と、
前記近似式算出手段により求められる前記近似式を利用して光学濃度を算出し、算出結果に基づいて調色に必要となる色材濃度のベースデータ展色物の光学濃度を管理する調色用データベースを作成するデータベース作成手段と、
を備えたことを特徴とする調色用データベース作成装置。
【請求項２】
前記ベースデータ展色物の間引きを、前記色材濃度を対数表示する場合に間引き後のベースデータ展色物の色材濃度の間隔が略等間隔になるように行うことを特徴とする請求項１に記載の調色用データベース作成装置。
【請求項３】
前記間引き後のベースデータ展色物の色材濃度が少なくとも４段階あり、前記近似式が３次の近似式であることを特徴とする請求項１又は請求項２に記載の調色用データベース作成装置。
【請求項４】
前記データベース作成手段は、
前記近似式算出手段により求められる前記近似式に基づいて、間引いた色材濃度のベースデータ展色物に対する反射率を算出する反射率算出手段と、
間引かれなかった色材濃度のベースデータ展色物に対しては前記反射率測定手段により測定される反射率に基づいて光学濃度を算出し、前記間引いた色材濃度のベースデータ展色物に対しては前記反射率算出手段により算出される前記反射率に基づいて光学濃度を算出する光学濃度算出手段と、
を備えたことを特徴とする請求項１から請求項３のいずれか１項に記載の調色用データベース作成装置。
【請求項５】
ベースデータ展色物の光学濃度を管理する調色用データベースを参照して、色見本に基づいて使用色材の選択及びその色材の組み合わせにおける各色材の配合比率を計算して出力する調色において利用するための前記調色用データベースを作成する調色用データベース作成方法において、
ベースインキごとに調色に必要となる多段階の色材濃度のベースデータ展色物のうち前記多段階の色材濃度の一部を間引いた後のベースデータ展色物の反射率を複数の波長において測定する反射率測定ステップと、
前記ベースインキの夫々に対して、波長ごとに、前記反射率測定ステップにおいて測定される前記反射率に基づいて、色材濃度を変数とする反射率の近似式を求める近似式算出ステップと、
前記近似式算出ステップにおいて求められる前記近似式を利用して光学濃度を算出し、算出結果に基づいて調色に必要となる色材濃度のベースデータ展色物の光学濃度を管理する調色用データベースを作成するデータベース作成ステップと、
を有することを特徴とする調色用データベース作成方法。
【請求項６】
ベースデータ展色物の光学濃度を管理する調色用データベースを参照して、色見本に基づいて使用色材の選択及びその色材の組み合わせにおける各色材の配合比率を計算して出力する調色において利用するための前記調色用データベースを作成するコンピュータを、
ベースインキごとに調色に必要となる多段階の色材濃度のベースデータ展色物のうち前記多段階の色材濃度の一部を間引いた後のベースデータ展色物の反射率を複数の波長において測定する反射率測定手段、
前記ベースインキの夫々に対して、波長ごとに、前記反射率測定手段により測定される前記反射率に基づいて、色材濃度を変数とする反射率の近似式を求める近似式算出手段、及び
前記近似式算出手段により求められる前記近似式を利用して光学濃度を算出し、算出結果に基づいて調色に必要となる色材濃度のベースデータ展色物の光学濃度を管理する調色用データベースを作成するデータベース作成手段、
として機能させることを特徴とするプログラム。
【発明の詳細な説明】
【技術分野】
【０００１】
本発明は、カラーマッチング（調色）に利用されるベースデータ展色物の光学濃度を格納した調色用データベースを作成する調色用データベース作成装置、調色用データベース作成方法、及びプログラムに関する。
【背景技術】
【０００２】
カラーマッチング（調色）は、色見本と同じ色にするための使用色材の選択及びその色材の組み合わせにおける各色材の配合比率を求めるものである。コンピュータカラーマッチング（Computer Color Matching：ＣＣＭ）は、これをコンピュータにより計算するものである（例えば、特許文献１参照）。
【０００３】
ＣＣＭにおいては、予め、ベースデータ展色物の光学濃度を調色用データベースに格納しておく。そして、色見本の反射率を測定し、測定された反射率を光学濃度に変換する。続いて、変換により得られた光学濃度とデータベースの光学濃度とに基づいて、測定対象の色見本と同じ色にするための使用色材とその配合比率を計算し出力する。
【特許文献１】特開２００２−０９０２２２号公報
【発明の開示】
【発明が解決しようとする課題】
【０００４】
ＣＣＭにおいて利用される調色用データベースの作成作業として、配合表の作成と、配合表の各ベースデータ展色物を造るためにインキの配合、インキの攪拌、展色・印刷、及び後工程と、ベースデータ展色物の反射率の測定と、光学濃度への変換とが必要であり、特に後工程が多い分野では多大な作業になる。しかも、ＣＣＭに必要となるベースデータ展色物の光学濃度は、例えば、ベースインキが１０色、１ベースインキ当り８〜１５色、その希釈に２種類（メジウム、白）、３６波長成分であり、多い。このため、調色用データベースを作成する作業者の負荷が非常に大きいという問題がある。
【０００５】
そこで、本発明は、調色用データベースを作成する作業者の負荷を軽減することが可能な調色用データベース作成装置、調色用データベース作成方法、及びプログラムを提供することを目的とする。
【課題を解決するための手段】
【０００６】
本発明の調色用データベース作成装置は、ベースデータ展色物の光学濃度を管理する調色用データベースを参照して、色見本に基づいて使用色材の選択及びその色材の組み合わせにおける各色材の配合比率を計算して出力する調色において利用するための前記調色用データベースを作成する調色用データベース作成装置において、ベースインキごとに調色に必要となる多段階の色材濃度のベースデータ展色物のうち前記多段階の色材濃度の一部を間引いた後のベースデータ展色物の反射率を複数の波長において測定する反射率測定手段と、前記ベースインキの夫々に対して、波長ごとに、前記反射率測定手段により測定される前記反射率に基づいて、色材濃度を変数とする反射率の近似式を求める近似式算出手段と、前記近似式算出手段により求められる前記近似式を利用して光学濃度を算出し、算出結果に基づいて調色に必要となる色材濃度のベースデータ展色物の光学濃度を管理する調色用データベースを作成するデータベース作成手段と、を備えたことを特徴とする。
【０００７】
上記に記載の調色用データベース作成装置において、前記ベースデータ展色物の間引きを、前記色材濃度を対数表示する場合に間引き後のベースデータ展色物の色材濃度の間隔が略等間隔になるように行うことを特徴とする。
【０００８】
上記に記載の調色用データベース作成装置において、前記間引き後のベースデータ展色物の色材濃度が少なくとも４段階あり、前記近似式が３次の近似式であることを特徴とする。
【０００９】
上記に記載の調色用データベース作成装置において、前記データベース作成手段は、前記近似式算出手段により求められる前記近似式に基づいて、間引いた色材濃度のベースデータ展色物に対する反射率を算出する反射率算出手段と、間引かれなかった色材濃度のベースデータ展色物に対しては前記反射率測定手段により測定される反射率に基づいて光学濃度を算出し、前記間引いた色材濃度のベースデータ展色物に対しては前記反射率算出手段により算出される前記反射率に基づいて光学濃度を算出する光学濃度算出手段と、を備えたことを特徴とする。
【００１０】
また、本発明の調色用データベース作成方法は、ベースデータ展色物の光学濃度を管理する調色用データベースを参照して、色見本に基づいて使用色材の選択及びその色材の組み合わせにおける各色材の配合比率を計算して出力する調色において利用するための前記調色用データベースを作成する調色用データベース作成方法において、ベースインキごとに調色に必要となる多段階の色材濃度のベースデータ展色物のうち前記多段階の色材濃度の一部を間引いた後のベースデータ展色物の反射率を複数の波長において測定する反射率測定ステップと、前記ベースインキの夫々に対して、波長ごとに、前記反射率測定ステップにおいて測定される前記反射率に基づいて、色材濃度を変数とする反射率の近似式を求める近似式算出ステップと、前記近似式算出ステップにおいて求められる前記近似式を利用して光学濃度を算出し、算出結果に基づいて調色に必要となる色材濃度のベースデータ展色物の光学濃度を管理する調色用データベースを作成するデータベース作成ステップと、を有することを特徴とする。
【００１１】
また、本発明のプログラムは、ベースデータ展色物の光学濃度を管理する調色用データベースを参照して、色見本に基づいて使用色材の選択及びその色材の組み合わせにおける各色材の配合比率を計算して出力する調色において利用するための前記調色用データベースを作成するコンピュータを、ベースインキごとに調色に必要となる多段階の色材濃度のベースデータ展色物のうち前記多段階の色材濃度の一部を間引いた後のベースデータ展色物の反射率を複数の波長において測定する反射率測定手段、前記ベースインキの夫々に対して、波長ごとに、前記反射率測定手段により測定される前記反射率に基づいて、色材濃度を変数とする反射率の近似式を求める近似式算出手段、及び前記近似式算出手段により求められる前記近似式を利用して光学濃度を算出し、算出結果に基づいて調色に必要となる色材濃度のベースデータ展色物の光学濃度を管理する調色用データベースを作成するデータベース作成手段、として機能させることを特徴とする。
【発明の効果】
【００１２】
本発明の調色用データベース作成装置によれば、調色に必要となる多段階の色材濃度のベースデータ展色物の一部を間引き、間引いた後のベースデータ展色物の反射率を反射率測定手段により測定する。そして、測定結果に基づき色材濃度を変数とする反射率の近似式を近似式算出手段により算出する。この近似式を利用してベースデータ展色物の光学濃度を算出し、算出結果に基づいて光学濃度を管理する調色用データベースを作成する。従って、間引いた色材濃度のベースデータ展色物を造り、その反射率を測定する必要がなく、調色用データベースを作成する作業者の負荷を軽減することができる。
【００１３】
また、調色用データベース作成装置によれば、視覚は色の濃いところにおける色の変化よりも色の薄いところにおける色の変化に敏感であるため、色の薄い部分で多くの反射率を測定するベースデータ展色物の間引きは視覚の特性に合ったものになる。
【００１４】
さらに、調色用データベース作成装置は、近似式として試験的に最もよい精度の得られた３次の近似式を利用することにしたものである。
【００１５】
さらに、調色用データベース作成装置によれば、間引いた色材濃度のベースデータ反射率が近似式に基づいて反射率算出手段により算出される。そして、光学濃度算出手段により間引かれなかったベースデータ展色物に対しては測定値の反射率に基づいて光学濃度が算出され、間引いたベースデータ展色物に対しては算出値の反射率に基づいて光学濃度が算出される。こうすることにより、簡易に光学濃度を管理する調色用データベースを作成することができる。
【００１６】
また、本発明の調色用データベース作成方法によれば、調色に必要となる多段階の色材濃度のベースデータ展色物の一部を間引き、間引いた後のベースデータ展色物の反射率を反射率測定ステップにおいて測定する。そして、測定結果に基づき色材濃度を変数とする反射率の近似式を近似式算出ステップにおいて算出する。この近似式を利用してベースデータ展色物の光学濃度を算出し、算出結果に基づいて光学濃度を管理する調色用データベースを作成する。従って、間引いた色材濃度のベースデータ展色物を造り、その反射率を測定する必要がなく、調色用データベースを作成する作業者の負荷を軽減することができる。
【００１７】
また、本発明のプログラムによれば、調色に必要となる多段階の色材濃度のベースデータ展色物の一部を間引き、間引いた後のベースデータ展色物の反射率を反射率測定手段により測定する。そして、測定結果に基づき色材濃度を変数とする反射率の近似式を近似式算出手段により算出する。この近似式を利用してベースデータ展色物の光学濃度を算出し、算出結果に基づいて光学濃度を管理する調色用データベースを作成する。従って、間引いた色材濃度のベースデータ展色物を造り、その反射率を測定する必要がなく、調色用データベースを作成する作業者の負荷を軽減することができる。
【発明を実施するための最良の形態】
【００１８】
以下、本発明の好適な実施の形態について図面を参照しつつ説明する。
図１は、本発明の調色用データベース作成装置の構成を示すブロック図である。調色用データベース作成装置１は、入力部１１と、反射率データベース１２と、光学濃度データベース（調色用データベース）１３と、反射率測定部１４と、測定値書込部１５と、近似式算出部１６と、反射率算出部１７と、算出値書込部１８と、光学濃度算出部１９と、光学濃度書込部２０とを備える。
【００１９】
入力部１１は、ユーザが情報などを入力するための装置である。
反射率データベース１２は、ベースインキの夫々に関して複数の波長のベースデータ展色物の反射率を管理するものであり、図２に一例を示す、ベースインキの種類と、色材濃度と、波長と、反射率などとが関連付けられる。
光学濃度データベース１３は、ベースインキの夫々に関して複数の波長のベースデータ展色物の光学濃度を管理するものであり、図３に一例を示す、ベースインキの種類と、色材濃度と、波長と、光学濃度などとが関連付けられている。
【００２０】
反射率測定部１４は、発光部と受光部とを備えており、反射率を測定する機能を備えるものである。反射率測定部１４は、測定結果を測定値書込部１５へ出力する。
測定値書込部１５は、反射率測定部１４により測定される反射率を、入力部１１を利用してユーザが入力した測定に関する情報（ベースデータ展色物（ベースインキの種類、色材濃度）、波長）に関連付けて、反射率データベース１２に書き込む。
【００２１】
近似式算出部１６は、反射率データベース１２を参照して、入力部１１を利用してユーザが入力した情報（ベースインキの種類、波長）に関連付けて管理されている色材濃度と反射率とを取り出し（間引き後のベースデータ展色物が４段階の色材濃度の場合、４組の色材濃度と反射率が取り出される。）、取り出した色材濃度と反射率とに基づいて、下記に示す、色材濃度を変数とする反射率の近似式を算出する。そして、近似式算出部１６は、算出した近似式を反射率算出部１７へ出力する。
Ｒ＝ｆ（ｄ）
但し、ｆは近似式の関数、Ｒは反射率、ｄは色材濃度である。
また、本実施の形態では、下記の３次の近似式を利用する。
Ｒ＝Ａ×ｄ３＋Ｂ×ｄ２＋Ｃ×ｄ＋Ｄ
このＡ、Ｂ、Ｃ、Ｄは係数であり、近似式算出部１６は係数Ａ、Ｂ、Ｃ、Ｄを求めている。本実施の形態で３次の近似式を利用したのは、試験的に３次の近似式が最もよい精度が得られていたことによる。
尚、近似式として３次の近似式以外の近似式を利用してもよい。
【００２２】
反射率算出部１７は、近似式算出部１６により算出される近似式に入力部１１を利用してユーザが入力した色材濃度を代入することによって反射率を算出する。そして、反射率算出部１７は、算出結果を算出値書込部１８へ出力する。
算出値書込部１８は、反射率算出部１７により算出される反射率を、反射率データベース１２の対応する箇所（近似式算出部１６が近似式を算出する際に入力されたベースインキの種類及び波長、並びに反射率算出部１７が反射率を演算する際に入力された色材濃度に対応した箇所）に書き込む。
【００２３】
光学濃度算出部１９は、反射率データベース１２に管理されている反射率から光学濃度を算出し、算出結果を光学濃度書込部２０へ出力する。尚、反射率から光学濃度の算出は、一般に知られている既知の技術のいずれかを利用して行われる。
光学濃度書込部２０は、光学濃度算出部１９により算出される光学濃度を、光学濃度データベース１３の対応する箇所（光学濃度算出部１９による算出の対象となった反射率のベースインキの種類、色材濃度、波長に対応した箇所）に書き込む。
尚、反射率算出部１７及び光学濃度算出部１９によりデータベース作成手段が構成される。
【００２４】
図４は、調色用データベースを作成する工程を示す工程図である。
調色用データベースを作成する作業者は、まず、配合表を作成する。この配合表を作成する際に、作業者は、少なくとも調色に必要となるベースデータ展色物が含まれるように作成する（ステップＳ１）。尚、色材濃度の薄いところのベースデータ展色物の数が多く、色材濃度の濃いところでベースデータ展色物の数が少なくなるように、配合表を作成することが好ましい。
この配合表の一例が図５に示されている。この配合表には、ベースインキとして墨、藍、草、赤、黄の５種類あり、各ベースインキに対して８段階の色材濃度がある。例えば、ベースデータ展色物として、ベースインキが墨で、メジウムまたは白に墨のベースインキを１パーセント混ぜる“墨−１．０パーセント”（ベースインキが墨で色材濃度が１．０パーセントのベースデータ展色物）がある。尚、ベースインキの数、各ベースインキに対するベースデータ展色物の数は、適宜、変更可能である。
【００２５】
次に、作業者は、ベースインキの夫々に対して、ベースデータ展色物の一部を間引く（ステップＳ２）。本実施の形態における間引きは、各ベースインキにおいて、図６に示されるように、色材濃度を対数（ｌｏｇ（ｄ）：ｄは色材濃度）表示した場合にその対数表示した色材濃度（ｌｏｇ（ｄ））の間隔がほぼ等間隔になるように、且つ、間引いた後のベースデータ展色物が４段階の色材濃度になるように行われる。但し、図６の黒丸が間引かない、つまり反射率を測定するベースデータ展色物を示し、白丸が間引いたベースデータ展色物を示す。
人の視覚は、色材濃度の濃いところの色の変化よりも色材濃度の薄いところでの色の変化に敏感である。そして、対数表示した色材濃度の間隔がほぼ等間隔になるように間引いた場合、色材濃度の薄いところで反射率の測定の対象となるベース展色物が相対的に多くなる。従って、色材濃度の薄いところで測定の対象となるベースデータ展色物が相対的に多くなる、対数表示した色材濃度の間隔がほぼ等間隔になるようにベースデータ展色物を間引くことは、色材濃度の薄いところでの色の変化に敏感な人の視覚にあったものである。
尚、間引き後のベースデータ展色物が４段階以外の、５段階などの多段階の色材濃度であってもよい。この際、近似式がｎ次の近似式であれば、間引き後のベースデータ展色物が（ｎ＋１）段階以上の色材濃度になるようにベースデータ展色物を間引くことが好ましい。
また、上述したような間引きの方法でなくても、反射率の測定の対象となるベースデータ展色物が色材濃度の薄いところで多く、色材濃度の濃いところで少なくなるように間引く方法であればよい。
さらに、各ベースインキにおいて、最も色材濃度の薄いベースデータ展色物と最も色材濃度の薄いベースデータ展色物が間引かれないようにベースデータ展色物を間引く方法であってもよい。
【００２６】
そして、作業者は、間引かれなかったベースデータ展色物の夫々を、インキの配合、インキの攪拌、展色・印刷、及び後工程を実施することによって造る（ステップＳ３）。尚、このベースデータ展色物の製造は通常の方法と同様である。
【００２７】
続いて、作業者により所定の操作が行われることによって、反射率測定部１４によりステップＳ３において造られたベースデータ展色物の反射率が測定される（ステップＳ４）。そして、測定値書込部１５は、反射率測定部１４により測定された反射率を、入力部１１を利用してユーザが入力した測定に関する情報（データベース展色物（ベースインキの種類、色材濃度）、波長）に関連付けて、反射率データベース１２に書き込む（ステップＳ５）。このステップＳ４及びステップＳ５の処理は、間引きされなかった、つまりステップＳ３の処理で造られたベースデータ展色物の夫々に対して、複数の波長で行われる。例えば、波長の数として３６成分である。
【００２８】
続いて、近似式算出部１６は、反射率データベース１２を参照して、入力部１１を利用してユーザが入力した情報（ベースインキの種類、波長）に関連付けて管理されている色材濃度と反射率とを取り出す。そして、近似式算出部１６は、取り出した色材濃度と反射率とに基づいて、色材濃度を変数とする反射率を算出する（ステップＳ６）。続いて、反射率算出部１７は、ステップＳ６において算出された近似式に入力部１１を利用してユーザが入力した色材濃度を代入することによって反射率を算出する（ステップＳ７）。さらに続いて、算出値書込部１８は、ステップＳ７において算出された反射率を、反射率データベース１２の対応する箇所（近似式を算出する際に入力されたベースインキの種類、波長、反射率を演算する際に入力された色材濃度に対応した箇所）に書き込む（ステップＳ８）。このステップＳ６からステップＳ８の処理は、間引きされたベースデータ展色物の夫々に対して、夫々の波長において行われる。ここまでの処理が行われることによって、配合表の全てのベースデータ展色物の各波長の反射率が反射率データベース１２に書き込まれることになる。
【００２９】
光学濃度算出部１９は、反射率データベース１２に管理されている反射率から光学濃度を算出する（ステップＳ９）。続いて、光学濃度書込部２０は、ステップＳ９において得られた光学濃度を、光学濃度データベース１３の対応する箇所（ステップＳ９において変換の対象となった反射率のベースインキの種類、色材濃度、波長に対応した箇所）に書き込む（ステップＳ１０）。このステップＳ９及びステップＳ１０の処理は、反射率データベース１２に管理されている全ての反射率に対して行われる。これにより、全てのベースインキに対して、調色に必要となる多段階の色材濃度のベースデータ展色物の各波長の光学濃度が光学濃度データベース１３に管理されることになる。
【００３０】
反射率データベース１２に管理されている反射率と、光学濃度データベース１３に管理されている光学濃度とは、図７と図８とから分かるように、ほぼ、反射率の値が大きいところで光学濃度の値が小さく、反射率の値が小さいところで光学濃度の値が大きくなる。尚、図７は、波長（Wave Length）と色材濃度（Color Density）とに対する反射率（Reflection）を示すグラフであり、図８は、波長（Wave Length）と色材濃度（Color Density）とに対する光学濃度（Optical Density）を示すグラフである。
【００３１】
尚、本発明は、ＣＣＭに使用する調色用データベース（実施の形態では、光学濃度データベース１３）の作成に関するものであるため、調色用データベースを参照してコンピュータにより行う調色（ＣＣＭ）の手順の詳細は省略する。
上述した作業により作成された光学濃度データベース１３を参照してコンピュータにより行う調色（ＣＣＭ）は、一般的に行われるものと同様である。まず、色見本の反射率を複数の波長において反射率で測定する。そして、測定により得られた夫々の波長の反射率から夫々の波長における色見本の光学濃度を算出する。続いて、光学濃度データベース１３を参照して、１又は複数の色材をある配合比率で組み合わせたときの波長に対する光学濃度のパターンを算出し、色見本の算出した波長に対する光学濃度のパターンに近い、色材の組み合わせとその組み合わせにおける各色材の配合比率を求める。尚、光学濃度データベース１３に管理されている光学濃度はベースデータ展色物に対するものであって、離散的であるため、ベースデータ展色物間の色材濃度の色材を使用しようとする場合はその両端にあるベースデータ展色物の光学濃度からそのベースデータ展色物間の色材濃度の光学濃度を算出する。
【００３２】
以上説明したように本実施の形態によれば、調色に必要となる多段階の色材濃度のベースデータ展色物の一部を間引き、間引いた後のベースデータ展色物の反射率を反射率測定部１４により測定する。そして、測定結果に基づき色材濃度を変数とする反射率の近似式を近似式算出部１６により算出する。この近似式に基づいて間引かれたベースデータ展色物の反射率を反射率算出部１７により算出する。そして、光学濃度算出部１９は、間引かれなかったベースデータ展色物に対しては反射率測定部１４により測定された反射率に基づいて光学濃度を算出し、間引かれたベースデータ展色物に対しては反射率算出部１７により算出された反射率に基づいて光学濃度を算出する。従って、間引いたベースデータ展色物を造り、その反射率を測定する必要がなく、光学濃度データベース１３を作成する作業者の負荷を軽減することができる。
【００３３】
尚、図１における処理部の機能を実現するためのプログラムをコンピュータ読み取り可能な記録媒体に記録して、この記録媒体に記録されたプログラムをコンピュータシステムに読み込ませ、実行することにより調色用データベースの作成を行ってもよい。ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３５】
以上、本発明の好適な実施の形態について説明したが、本発明は上述の実施の形態に限られるものではなく、特許請求の範囲に記載されている範囲において様々な設計変更が可能なものである。例えば、光学濃度を算出する際に利用される反射率として、間引かれなかったベースデータ展色物では反射率の測定値を利用し、間引いたベースデータ展色物では近似式を利用して求められた反射率の算出値を利用している場合であるが、これに限られず、全て近似式を利用した求められた反射率の算出値を利用するようにしてもよい。
また、近似式を利用して光学濃度を算出してこの光学濃度を管理する光学濃度データベースを作成することができれば、実施の形態で説明したものに限らない。
【００３６】
また、光学濃度データベース１３によりベースデータ展色物の光学濃度を管理して調色に利用しようとしているが、ベースインキの夫々について、夫々の波長ごとに近似式算出部１６により算出される色材濃度を変数とする反射率の近似式を管理するようにしてもよい。この場合、調色の際に、近似式から所望の色材濃度の反射率を算出し、算出した反射率から光学濃度を算出して調色に用いるようにすればよい。
【図面の簡単な説明】
【００３７】
【図１】本発明の調色用データベース作成装置の構成を示す図である。
【図２】図１の反射率データベースの一例を示す図である。
【図３】図１の光学濃度データベースの一例を示す図である。
【図４】調色用データベースを作成する工程を示す工程図である。
【図５】配合表の一例を示す図である。
【図６】配合表のベースデータ展色物の間引きを説明するための図である。
【図７】波長と色材濃度とに対する反射率を示す図である。
【図８】波長と色材濃度とに対する光学濃度を示す図である。
【符号の説明】
【００３８】
１  調色データベース作成装置、  １１  入力部、  １２  反射率データベース、  １３光学濃度データベース、  １４  反射率測定部、  １５  測定値書込部、  １６  近似式算出部、  １７  反射率算出部、  １８  算出値書込部、  １９  光学濃度算出部、  ２０  光学濃度書込部
【図１】
2005037256.tif 000003
【図２】
2005037256.tif 000004
【図３】
2005037256.tif 000005
【図４】
2005037256.tif 000006
【図５】
2005037256.tif 000007
【図６】
2005037256.tif 000008
【図７】
2005037256.tif 000009
【図８】
2005037256.tif 000010